(57)【要約】本発明は、適当な素材で形成され管形状の耐圧用編紐（９）と、管形状の外部の機械的保護部（１３）とが周囲に取付けられている、コルゲーションが設けられたパイプ（２）を有する柔軟な管（１）に関する。本発明は、この柔軟な管が、コルゲーションが設けられたパイプと耐圧用編紐との間に位置し、この耐圧用編紐を形成するために用いられている素材よりも硬度並びに／もしくは摩擦係数が小さい適当な素材で形成された管状の減摩用編紐（６）と、耐圧用編紐と外部の機械的保護部との間に位置する少なくとも１つの管状の緩衝用層（１２）とを有することを特徴とする。
2008533401.tif 000002
【特許請求の範囲】
【請求項１】
特に有害な又は無害な流体を輸送する目的で、適当な素材で形成され管形状の少なくとも１つの耐圧用編紐（９）と、管形状の外部の機械的保護部（１３）とが周囲に取付けられている内部のコルゲーションが設けられたパイプ（２）を具備する柔軟な管において、一方では、前記コルゲーションが設けられたパイプ（２）と耐圧用編紐（９）との間に位置する、管形状で、この耐圧用編紐（９）を形成するために用いられている素材よりも硬度並びに／もしくは摩擦係数が小さい適当な素材で形成された減摩用編紐（６）をさらに具備し、他方では、前記耐圧用編紐（９）と外部の機械的保護部（１３）との間に位置する少なくとも１つの緩衝用さや（１２）をさらに具備することを特徴とする柔軟な管。
【請求項２】
前記コルゲーションが設けられたパイプ（２）は、平行な、又はらせん状の複数のコルゲーション（３）を有することを特徴とする請求項１に記載の柔軟な管（１）。
【請求項３】
前記コルゲーションが設けられたパイプ（２）は、ステンレス鋼とニッケル合金とからなるグループから選択された素材から形成されることを特徴とする請求項１又は２に記載の柔軟な管（１）。
【請求項４】
前記減摩用編紐（６）が、銅合金と、天然繊維と、合成繊維とからなるグループから選択される素材から形成されることを特徴とする請求項１乃至３のいずれか１に記載の柔軟な管（１）。
【請求項５】
各耐圧用編紐（９）が、ステンレス鋼から形成されていることを特徴とする請求項１乃至４のいずれか１に記載の柔軟な管（１）。
【請求項６】
各緩衝用さや（１２）は、グラスファイバの網紐、又はシリコンでコーティングされたグラスファイバの編物から形成されていることを特徴とする請求項１乃至５のいずれか１に記載の柔軟な管（１）。
【請求項７】
前記外部の機械的保護部は、ステンレス鋼又は何か他の素材から形成されたインタロックパイプからなっていることを特徴とする請求項１乃至６のいずれか１に記載の柔軟な管（１）。
【発明の詳細な説明】
【技術分野】
【０００１】
本発明は、産業分野、特に有害又は無害な流体を輸送するためのエネルギー分野で用いられる柔軟な管に関する。
【背景技術】
【０００２】
ガスタービンがこのタイプの柔軟な複数の管を備えていることは、既知である。このことを行なうために、柔軟な各管を、全く簡単に、ステンレス鋼から形成された鞘の内部に挿入された柔軟なパイプから構成することができる。
【０００３】
外部からかけられ損傷を与える蓋然性のある応力に対する保護が向上した、より工夫された柔軟な管も提案されてきた。このような柔軟な管は、通常、一方では、ステンレス鋼で形成された管形状の１つ又は２つの耐圧用編紐が、他方では、さらに管形状の外部の機械的保護部が、連続して周囲に取付けられた、コルゲーションが設けられたパイプから構成されている。
【０００４】
それにもかかわらず、このような柔軟な管は、作業中の振動に関して非常に高い応力を受け、続いて、耐圧用編紐とコルゲーションが設けられたパイプとの間で相対的に変位することにより、このコルゲーションが設けられたパイプの複数のコルゲーションの頂点の磨耗が早期に生じる。加えて、外部の機械的保護部が、振動応力の影響を受けて、耐圧用編紐を、又はこの耐圧用編紐を介してコルゲーションが設けられたパイプそれ自身さえも損傷する蓋然性がある限り、外部の機械的保護部が耐圧用編紐に対して相対的に変位することにより、柔軟なパイプが早期に磨耗する危険性がさらに増加する。
【発明の開示】
【発明が解決しようとする課題】
【０００５】
本発明の目的は、上述の問題を解決することであり、この理由のために、本発明は、特に有害な又は無害な流体を輸送する目的で、適当な素材で形成され管形状の少なくとも１つの耐圧用編紐と、管形状の外部の機械的保護部とが周囲に取付けられている内部のコルゲーションが設けられたパイプを有する柔軟な管において、一方では、前記コルゲーションが設けられたパイプと耐圧用編紐との間に位置する、管形状で、前記耐圧用編紐を形成するために用いられている素材よりも硬度並びに／もしくは摩擦係数が小さい適当な素材で形成された減摩用編紐を有し、他方では、前記耐圧用編紐と外部の機械的保護部との間に位置する少なくとも１つの緩衝用さやを有することを特徴とする柔軟な管からなる。
【課題を解決するための手段】
【０００６】
このように、本発明による柔軟な管では、少なくとも１つの緩衝用さやを組み込む結果、振動応力を受けて前記柔軟な管で発生される相対的な変位を非常に最小化することができ、従って、このさやは、様々な構成要素の寿命を延ばす役割を果たす。この「緩衝用さや／減摩用編紐」の組み合わせにより、とりわけ前記コルゲーションが設けられたパイプの複数のコルゲーションの頂点をステンレス鋼の耐圧用網紐とどのように接触することからも保護することにより、前記柔軟な管が早期に磨耗することに抗する比較的効果的な手段を可能としている。
【０００７】
本発明による柔軟な管では、前記コルゲーションが設けられたパイプは、平行な、又はらせん状の複数のコルゲーションを有することができる。
【０００８】
前記コルゲーションが設けられたパイプが、ステンレス鋼とニッケル合金とからなるグループから選択された素材から形成されることは好都合である。
【０００９】
前記減摩用編紐が、例えば青銅のような銅合金と、天然繊維と、合成繊維とからなるグループから選択される素材から形成されることも好都合である。前記天然繊維と合成繊維とは、それぞれ、例えば、グラスファイバとケブラー（登録商標）とからなっていてもよい。
【００１０】
各耐圧用編紐が、ステンレス鋼から形成されていることは好ましい。
【００１１】
各緩衝用さやが、グラスファイバの網紐、又はシリコンでコーティングされたグラスファイバの編成物、もしくは代わりに、何か他の同等な素材から形成されていることも好ましい。
【００１２】
本発明の好ましい一実施形態では、前記外部の機械的保護部は、ステンレス又は何か他の鉄から形成されたインタロックパイプからなっている。
【００１３】
本発明は、添付された図面を参照して以下に述べられている詳細な説明により、よりよく理解される。
【発明を実施するための最良の形態】
【００１４】
本発明による柔軟な管１は、図１乃至図４に示されているように、複数の平行なコルゲーション３を備え、ステンレス鋼で形成され、２つの端部４の各々で連結器５に溶接された、コルゲーションが設けられたパイプ２から得られる。
【００１５】
続いて、青銅で形成された減摩用編紐６が、このコルゲーションが設けられたパイプ２に沿って滑らされる。この減摩用編紐６は、管状形状で、コルゲーションが設けられたパイプ２の最大直径よりわずかに大きい内径と、このコルゲーションが設けられたパイプ２の長さにほぼ等しい長さとを有している。より具体的には、この減摩用編紐の２つの端部の各々は、対応する連結器５が示す凹部７内にクリンプされ、この凹部７に収容されるクリンプ用カラー８によりこの位置に保持される。
【００１６】
続いて、ステンレス鋼で形成された耐圧用編紐９が、前記減摩用編紐６に沿って滑らされる。この耐圧用編紐９は、この減摩用編紐６の外径よりわずかに大きな内径と、この減摩用編紐６の長さにほぼ等しい長さとを有するように形作られている。保持用リング１１をこの耐圧用編紐９の２つの端部の各々で滑らせることができ、続いて、この耐圧用編紐９と各保持リング１１とは、場合に応じて、対応する連結器５の外側側面に溶接される。
【００１７】
続いて、シリコンでコーティングされたファイバーグラスの編成物で形成されていることが好ましく、３乃至４ｍｍが好ましい範囲の厚さを有している緩衝用さや１２が、この耐圧用編紐９に沿って滑らされ、保持用リング１１に当接するようにされる。
【００１８】
最後に、２つの端部の各々に補償リング１４を備えた、ステンレス鋼のインタロックパイプ１３の形態で製造された外側の機械的保護部が、この緩衝用さや１２の周囲で滑らされる。より具体的には、外部の保持リング１５が、インタロックパイプ１３の２つの端部の各々に被せられて滑らされる。このインタロックパイプは、最終的に、このパイプの２つの端部の各々で、その補償リング１４と共に、保持リング１５と、連結器５の外側側面１０とに溶接される。
【００１９】
このように、本発明による管では、コルゲーションの設けられたパイプ２の複数のコルゲーション３の頂点が、減摩用編紐６と接触して位置しており、この減摩用編紐は、耐圧用編紐９を形成するために用いられている素材よりも、素材の硬度並びに／もしくは摩擦係数が低い素材で形成されているため、磨耗現象が大きく軽減されることになる。この磨耗現象は、柔軟な管１が受ける振動応力の結果として、様々な複数の構成部材の互いの相対的な変位を最小限にする緩衝用さや１２のおかげで、さらに軽減される。例として、本発明による、このような「緩衝用さや／減摩用編紐」の組合わせが備えられた柔軟な管１は、従来用いられていた柔軟なパイプの寿命よりも２０倍長い寿命を持ちうる。
【００２０】
本発明を、複数の特定の例示的な実施形態と関連させて説明してきたが、本発明が、これらの実施形態にいかなる意味でも限定されず、本発明が説明した手段の全ての技術的な等価物と、本発明の範囲に入るこれらの技術的な等価物の複数の組合せとを含むことは、明らかである。
【図面の簡単な説明】
【００２１】
【図１】本発明による柔軟な管の外部の機械的保護部の部分を省略した全体図である。
【図２】図１に示された柔軟な管の一端での縦断面の部分図である。
【図３】図２に示されている柔軟な管の３−３断面での図である。
【図４】図２に示されている柔軟な管の４−４断面での図である。
【図１】
2008533401.tif 000003
【図２】
2008533401.tif 000004
【図３】
2008533401.tif 000005
【図４】
2008533401.tif 000006
【国際調査報告】
2008533401.tif 000007
2008533401.tif 000008
2008533401.tif 000009
2008533401.tif 000010
2008533401.tif 000011
2008533401.tif 000012